(57)【要約】【課題】  省スペースでありながら容易にアオリ調整を行なうことができる固体撮像素子の取付構造を提供する。【解決手段】  下部鏡筒３２の第１収納部５３にＣＣＤイメージセンサ１８を収納し、下面を保持板６１で押圧する。ＣＣＤイメージセンサ１８の上に第１〜第３の調整部品４６，４７を組み込み、保持突起４６ｃ，４７ｃを第１調整面１８ｂに当接させ、斜面４６ｆ，４７ｆを第１溝６８に挿入し、調整突起６８ａ，６８ｂに当接させる。調整部品４６，４７を溝６８に沿って移動させると、調整突起６８ａ，６８ｂと斜面４６ｆ，４７ｆとの当接状態が変化し、調整部品４６，４７が上下方向に移動する。保持突起４６ｃ，４７ｃがＣＣＤイメージセンサ１８の第１調整面１８ｂを押圧することにより、アオリが調整される。【選択図】        図９
2006217473.tif 000002
【特許請求の範囲】
【請求項１】
固体撮像素子が受光面側から取り付けられる保持部品と、
固体撮像素子を背面側から押圧して保持部品に押し付ける保持板とを備えた固体撮像素子の取付構造において、
前記保持部品と固体撮像素子との間には、略楔形状とされた調整部品が該保持部品と固体撮像素子との間で移動できるように少なくとも一つ組み込まれていることを特徴とする固体撮像素子の取付構造。
【請求項２】
固体撮像素子が受光面側から収納される収納部が設けられた保持部品と、
前記収納部内に設けられ、固体撮像素子の受光面の周囲に設けられた調整面に対面する位置に配置された複数の調整突起と、
前記保持部品と固体撮像素子との間に組み込まれ、一方の面に調整突起と当接する斜面が、反対側の面に調整面に当接する保持突起がそれぞれ設けられ、かつ斜面が設けられている方向に沿って移動自在とされた複数の調整部品と、
前記固体撮像素子を背面側から押圧して保持部品に押し付ける保持板とを備えたことを特徴とする固体撮像素子の取付構造。
【請求項３】
固体撮像素子が受光面側から収納される収納部が設けられた保持部品と、
前記収納部内に設けられ、固体撮像素子の受光面の両側方に設けられた第１調整面及び第２調整面に対面する位置にそれぞれ配置され、両端が保持部品の外面まで貫通された第１溝、及び第２溝と、
第１溝の底面に形成された第１調整突起及び第２調整突起と、
第２溝の底面に形成された第３調整突起と、
前記第１溝内に組み込まれ、一方の面に第１調整突起と当接する斜面が、反対側の面に第１調整面に当接する保持突起がそれぞれ設けられ、かつ第１溝をガイドとして移動自在とされた第１調整部品と、
前記第１溝内に組み込まれ、一方の面に第２調整突起と当接する斜面が、反対側の面に第１調整面に当接する保持突起がそれぞれ設けられ、かつ第１溝をガイドとして移動自在とされた第２調整部品と、
前記第２溝内に組み込まれ、一方の面に第３調整突起と当接する斜面が、反対側の面に第２調整面に当接する保持突起がそれぞれ設けられ、かつ第２溝をガイドとして移動自在とされた第３調整部品と、
前記固体撮像素子を背面側から押圧して保持部品に押し付ける保持板とを備えたことを特徴とする固体撮像素子の取付構造。
【請求項４】
前記調整部品の端部に、調整部品を保持部品と固体撮像素子との間で移動させる際に使用される調整つまみを設け、この調整つまみは、調整後に該調整部品から分離されることを特徴とする請求項１ないし３いずれか記載の固体撮像素子の取付構造。
【請求項５】
前記調整部品の端部に、調整部品を保持部品と固体撮像素子との間で移動させる際に調整用の治具が挿入される穴が設けられていることを特徴とする請求項１ないし３いずれか記載の固体撮像素子の取付構造。
【請求項６】
固体撮像素子と、この固体撮像素子の受光面に被写体像を結像する撮像レンズと、この撮像レンズと固体撮像素子とを保持するレンズ鏡筒とを備えたレンズ装置において
請求項１ないし５いずれか記載の固体撮像素子の取付構造を用い、かつ前記保持部品としてレンズ鏡筒を用いたことを特徴とするレンズ装置。
【請求項７】
前記レンズ装置は、プリズムが組み込まれて光路が屈曲された屈曲光学系であることを特徴とする請求項６記載のレンズ装置。
【請求項８】
請求項６または７記載のレンズ装置を用いたことを特徴とする撮像装置。
【発明の詳細な説明】
【技術分野】
【０００１】
本発明は、固体撮像素子のアオリ調整を行なえるようにした固体撮像素子の取付構造と、これを用いたレンズ装置及び撮像装置とに関する。
【背景技術】
【０００２】
撮影レンズで結像した被写体像をＣＣＤ等の固体撮像素子で撮像し、これによって得た撮像信号をデジタルの画像データに変換してメモリ等に記憶するデジタルカメラが普及している。このデジタルカメラの中には、撮影光路中にプリズムを組み込んで光路を屈曲させた屈曲光学系のレンズ装置を用いたものがある（例えば、特許文献１参照）。この屈曲光学系レンズ装置を用いたデジタルカメラによれば、ズームレンズやフォーカスレンズ等をカメラ前面から突出させることなく移動させることができるため、デジタルカメラの薄型化を図ることができる。
【０００３】
デジタルカメラの製造時には、撮像レンズの光軸に対して固体撮像素子の受光面の中心を合せ、かつレンズ光軸に対して受光面が垂直になるように固体撮像素子がレンズ鏡筒に取り付けられる。しかし、固体撮像素子やレンズ鏡筒等の各部品の寸法バラツキにより、各部品を組み立てただけでは、レンズ光軸に対して固体撮像素子の受光面が傾いた状態となる。デジタルカメラの撮影画質は、撮像レンズや固体撮像素子、画像処理の性能等の他、固体撮像素子の取付精度にも影響される。そのため、従来は、固体撮像素子に複数のネジやバネからなるアオリ調整機構を設け（例えば、特許文献２参照）、固体撮像素子をレンズ鏡筒に取り付けたあとで、固体撮像素子の受光面の角度、いわゆるアオリを調整していた。
【特許文献１】特開平０９−２１１２８７号公報
【特許文献２】特開２００３−１３４３８３号公報
【発明の開示】
【発明が解決しようとする課題】
【０００４】
しかし、従来のアオリ調整機構は、固体撮像素子の外形寸法を大型化してしまい、固体撮像素子が組み込まれるデジタルカメラ等の小型化を阻害していた。また、アオリ調整機構の部品点数が多いため、固体撮像素子をコストアップさせる要因ともなっていた。更に、屈曲光学系では、固体撮像素子が最下部に配置されるため、固体撮像素子の下面側からネジを回転させて調整を行なうのが難しいという問題もあった。
【０００５】
本発明は上記問題を解決するためになされたもので、省スペースでありながら容易にアオリ調整を行なうことができる固体撮像素子の取付構造と、これを利用したレンズ装置及び撮像装置とを提供する。
【課題を解決するための手段】
【０００６】
上記課題を解決するために、本発明の固体撮像素子の取付構造は、保持部品と固体撮像素子との間に、略楔形状の調整部品が移動できるように組み込まれている。調整部品を保持部品と固体撮像素子との間で移動させると、その楔形状により保持部品と固体撮像素子との間の調整部品の厚みが変化するため、固体撮像素子の調整部品が組み込まれている部分が光軸方向に移動する。これにより、固体撮像素子の受光面の角度が変化されるため、アオリの調整が可能となる。
【０００７】
上記取付構造のより具体的な構成は、固体撮像素子が受光面側から収納される収納部が設けられた保持部品と、収納部内に設けられ、固体撮像素子の受光面の周囲に設けられた調整面に対面する位置に配置された複数の調整突起と、保持部品と固体撮像素子との間に組み込まれ、一方の面に調整突起と当接する斜面が、反対側の面に調整面に当接する保持突起がそれぞれ設けられ、かつ斜面が設けられている方向に沿って移動自在とされた複数の調整部品と、固体撮像素子を背面側から押圧して保持部品に押し付ける保持板とから構成されている。この構成において、調整部品を斜面の方向に沿って移動させると、斜面と調整突起との当接状態の変化により調整部品がレンズ光軸方向に移動し、保持板によって保持突起に押し付けられている固体撮像素子は、調整部品の移動に合せてレンズ光軸方向で移動する。これにより、受光面の角度が変化されるため、アオリの調整が可能となる。
【０００８】
上記取付構造の更により具体的な構成は、保持部品と、収納部内に設けられ、固体撮像素子の受光面の両側方に設けられた調整面に対面する位置に配置され、両端が保持部品の外面まで貫通された第１溝及び第２溝と、第１溝と第２溝との底面にそれぞれ形成された第１調整突起と第２調整突起、及び第３調整突起と、第１溝内と第２溝内にそれぞれ組み込まれる第１調整部品と第２調整部品、及び第３調整部品と、保持板とから構成されている。第１〜第３調整部品は各溝内で移動されるため、斜面と調整突起との当接状態が安定する。各調整部品を溝内で移動させると、各調整部品がレンズ光軸方向に移動し、保持板によって保持突起に押し付けられている固体撮像素子は、調整部品の移動に合せてレンズ光軸方向で移動する。３つの調整部品を使用するため、バランスよく受光面の角度を変化させ、アオリを調整することができる。
【０００９】
また、調整部品の端部に調整つまみを設けることにより、調整部品の移動が行ないやすくなる。この調整つまみは、調整後に調整部品から分離されるように構成されているため、調整つまみにより固体撮像素子周辺のスペースが狭くなることはない。また、調整部品の端部に、調整治具挿入用の穴を設けてもよい。
【００１０】
本発明のレンズ装置は、固体撮像素子と、この固体撮像素子の受光面に被写体像を結像する撮像レンズと、この撮像レンズと固体撮像素子とを保持するレンズ鏡筒とを備えており、保持部品としてレンズ鏡筒を使用し、上述した固体撮像素子の取付構造を用いている。これにより、レンズ装置の固体撮像素子においても、受光面のアオリを適切に調整することができる。また、このレンズ装置を撮像装置に組み込むことにより、撮像装置の小型化も向上する。
【発明の効果】
【００１１】
本発明によれば、アオリを調整するための機構を固体撮像素子の面積内にほぼ納めることができるほど小型化することができるので、固体撮像素子の取付部、及びこの固体撮像素子が取り付けられるレンズ装置及び撮像装置の小型化を図ることができる。また、アオリを調整するための機構が、実質的に調整部品のみで構成することができるため、部品点数の減少によるローコスト化、簡略化による信頼性向上などの効果を得ることができる。更に、固体撮像素子の横方向から調整を行なうことができるため、固体撮像素子の背面が下方を向く屈曲光学系であっても、調整が非常に行ないやすくなる。
【発明を実施するための最良の形態】
【００１２】
図１及び図２に本発明を実施したデジタルカメラの外観を示す。デジタルカメラ２の前面には、その中央上部にストロボ光を照射するストロボ発光部３が設けられ、その横には撮影開口４が設けられている。撮影開口４からはデジタルカメラ２の内部に配されたレンズ装置５のレンズが露呈される。上面には電源ボタン６とレリーズボタン７とを配している。レリーズボタン７を押圧操作することにより、１フレーム分の静止画の撮影が行われ、この撮影で得られる画像データがデジタルカメラに装着されたメモリカード８（図３参照）に記録される。
【００１３】
図２に示すように、デジタルカメラ２の背面には、ＬＣＤ（液晶ディスプレイ）１０、ズームタイプのレンズ装置５を望遠側、広角側にズーミング（変倍）させるズームボタン１１、デジタルカメラ２の各種操作及び設定を行うカーソルボタン１２を配してある。ＬＣＤ１０に表示されるメニューを見ながらカーソルボタン１２を操作して指示を与えることで、撮影モードと再生モードの切替え、ストロボ発光のオン／オフなどの各種設定を行うことができる。
【００１４】
ＬＣＤ１０は、撮影モード下では、撮影中の被写体像を動画のスルー画像として表示し、ユーザはこのスルー画像を観察することで撮影範囲を知ることができる。また、再生モード下では、メモリカード８に記録されている画像を選択してＬＣＤ１０に表示することができる。
【００１５】
上記デジタルカメラ２の電気的構成を図３に示す。ＣＰＵ１５は、レリーズボタン７，ズームボタン１１，カーソルボタン１２からの操作信号に基づいて、デジタルカメラ２の各部を制御する。ＣＰＵ１５は、ＲＯＭ１５ａ，ＲＡＭ１５ｂを内蔵している。ＲＯＭ１５ａには、撮影シーケンスなど各種シーケンスのプログラムを格納してあり、このプログラムにしたがってＣＰＵ１５は各部を制御する。ＲＡＭ１５ｂは、ＣＰＵ１５が各種シーケンスを制御する際の作業用メモリとして用いられる。
【００１６】
駆動回路１７は、レンズ装置５に組み付けられたズームやピント調節用のモータ、シャッタ装置のアクチュエータ等をＣＰＵ１５の制御下で駆動する。固体撮像素子であるＣＣＤイメージセンサ１８は、その受光面にレンズ装置５を透過した被写体光が入射し、その被写体像をアナログの撮影信号に変換して出力する。この例では、ＣＣＤイメージセンサ１８を用いて撮影を行うが、イメージセンサとしては、これに限らず、例えばＣＭＯＳ型のイメージセンサを用いてもよい。
【００１７】
信号処理部１９は、撮影モード下では、撮影信号に対してノイズ除去、増幅，画像データへの変換処理を行ってから、ホワイトバランス、γ補正を行い、処理済みの画像データを順次にＬＣＤドライバ２１に送る。これにより、撮影中の被写体像がスルー画像としてＬＣＤ１０に表示される。撮影モード下でレリーズボタン７が押圧操作されると、信号処理部１９は、その直後の撮影で得られる１フレーム分の画像データをデータ圧縮した後にインタフェース回路２２を介してメモリカード８に記録する。なお、記録媒体としては、メモリカードに限らず、各種のものを用いることができ、またデジタルカメラ２の内部メモリに画像データを記録してもよい。
【００１８】
再生モード下では、インタフェース回路２２によってメモリカード８から画像データを読み出し、信号処理部１９で各種処理を施してからＬＣＤドライバ２１に送る。これにより、メモリカード８に記録されている画像がＬＣＤ１０に表示される。
【００１９】
信号処理部１９には，画像データに基づいて被写体輝度の検出と、画像データのコントラストの検出とを行う回路を備えており、検出した被写体輝度とコントラストの情報をそれぞれＣＰＵ１５に送る。ＣＰＵ１５は、信号処理部１９からの被写体輝度情報に基づいてシャッタ速度，絞りを制御し、コントラスト情報に基づいてピント調節の制御を行う。
【００２０】
図４にレンズ装置５の外観を、また図５にレンズ装置５の断面を示す。レンズ装置５は、プリズムを用いた屈曲光学系となっている。この屈曲光学系を用いることによって、デジタルカメラ２の厚みを薄くしている。レンズ装置５は、上部ユニット２３と、下部ユニット２４と、上部ユニット２３と下部ユニット２４との間に組み付けられたシャッタユニット２５とからなり、これらはネジ等によって一体化されている。
【００２１】
上部ユニット２３は、上部鏡筒２６と、この上部鏡筒２６に組み付けられた第１レンズ群２７〜第４レンズ群３０，ズームモータ３１、プリズム３６等からなる。上部鏡筒２６は、下部ユニット２４の下部鏡筒３２とともにレンズ装置５の鏡筒を構成する。
【００２２】
最も物体側に配される第１レンズ群２７は、１枚のレンズ２７ａから構成される。このレンズ２７ａは、後述するようにレンズ枠３３に保持された状態で、上部鏡筒２６の上部に設けられたプリズム収納部３４の前面に取り付けられ、撮影開口４から外部に露呈される。第１レンズ群２７の背面、この例ではレンズ２７ａの背面には、撮影と無関係な光を遮断するための遮光板３５を配してある。なお、第１レンズ群２７を１枚のレンズから構成しているが、複数枚のレンズで構成してもよい。また、第１レンズ群の複数枚のレンズの間に遮光板を配してもよい。
【００２３】
プリズム収納部３４には、光入射面３６ａと光射出面３６ｂとが直交するプリズム３６を組み付けてあり、プリズム３６は、光入射面３６ａが遮光板３５を挟んで第１レンズ２７ａを臨むように配されている。このプリズム３６は、レンズ２７ａから光入射面３６ａに入射する被写体光を９０度折り曲げて、光射出面３６ｂから射出する。すなわち、このプリズム３６によって、レンズ装置５の光路を９０度屈曲させてある。
【００２４】
第２レンズ群２８は、２枚のレンズ２８ａ，２８ｂからなり、レンズホルダ３７に保持されて、プリズム３６の光射出面３６ｂの直下に固定してある。第３レンズ群２９は、３枚のレンズ２９ａ〜２９ｃから構成してあり、これらがレンズホルダ３８によって保持されている。このレンズホルダ３８は、ズームモータ３１によって、レンズ装置５の光軸に沿って、すなわち上下に移動する。この第３レンズ群２９の移動によって、ズーミングが行われる。第４レンズ群３０は、１枚のレンズ３０ａから構成されている。このレンズ３０ａは、レンズホルダ３９に保持されて上部鏡筒２６の下部に固定されている。
【００２５】
下部ユニット２４は、下部鏡筒３２と、この下部鏡筒３２に組み付けられた第５レンズ群４１，ピント調節用モータ（図示省略）等からなる。第５レンズ群４１は、３枚のレンズ４１ａ〜４１ｃから構成され、各レンズ４１ａ〜４１ｃをレンズホルダ４２で保持している。このレンズホルダ４２は、ピント調節用モータによって、レンズ装置５の光軸に沿って上下に移動する。この第５レンズ群４１の移動によって、ピント調節が行われる。
【００２６】
下部鏡筒３２の下部には、固体撮像素子であるＣＣＤイメージセンサ１８が組み付けられ、その受光面には、上記のように構成される第１〜第５レンズ群２７〜３０，４１によって被写体像が結像される。このＣＣＤイメージセンサ１８と第５レンズ群４１の間には、モアレや擬色の発生を防止するための光学ローパスフィルタ（ＯＬＰＦ）４３が配されている。
【００２７】
図６は、ＣＣＤイメージセンサ１８の下部鏡筒３２への取付構造を示す分解斜視図である。ＣＣＤイメージセンサ１８は、板状に形成されており、上面には被写体像が結像される受光面１８ａが設けられている。また、受光面１８ａの両側方には、ＣＣＤイメージセンサ１８のアオリ調整に用いられる第１〜第３の調整部品４６〜４８が当接される第１，第２の調整面１８ｂ，１８ｃが設けられている。ＣＣＤイメージセンサ１８の下面には、ＣＣＤイメージセンサ１８を信号処理部１９やＣＰＵ１５に接続するフレキシブルプリント基板（ＦＣＰ）５０が取り付けられている。
【００２８】
ＣＣＤイメージセンサ１８を保持する保持部品である下部鏡筒３２の下面には、ＣＣＤイメージセンサ１８が組み込まれる凹状の第１収納部５３と、この第１収納部５３に連なって設けられ、ＯＬＰＦ４３が組み込まれる第２収納部５４とが設けられている。第２収納部５４には、ＯＬＰＦ４３とＣＣＤイメージセンサ１８の受光面１８ａとを露呈させる開口５５が設けられている。
【００２９】
ＣＣＤイメージセンサ１８の受光面１８ａとＯＬＰＦ４３との間には、両者の間を密封するパッキング５８が挟み込まれる。このパッキング５８は、ＣＣＤイメージセンサ１８とＯＬＰＦ４３とに密着できるようにゴム等の弾性材によって形成され、中央にはＣＣＤイメージセンサ１８の受光面１８ａを露呈させる開口５８ａが形成されている。このパッキング５８により、ＣＣＤイメージセンサ１８の上部が封止されることにより、受光面１８ａ上に塵芥が付着するのが防止される。
【００３０】
下部鏡筒３２の下部には、金属製の薄板で形成された保持板６１が２本のネジ６２と、下部鏡筒３２に設けられた一対の爪部６３に係合される係合片６４とによって取り付けられる。保持板６１のＣＣＤイメージセンサ１８の底面に対する面には、上方に向かって突出された３個の凸部６５が設けられており、これらの凸部６５がＣＣＤイメージセンサ１８の下面に当接して押圧することによって、ＣＣＤイメージセンサ１８とＯＬＰＦ４３とが収納部５３，５４内で保持される。
【００３１】
下部鏡筒３２の第１収納部５３内であって、ＣＣＤイメージセンサ１８の第１，第２調整面１８ｂ，１８ｃの上部には、第１〜第３調整部品４６〜４８が組み込まれる。図７（Ａ）〜（Ｃ）に示すように、第１〜第３調整部品４６〜４８は、ＣＣＤイメージセンサ１８の調整面１８ｂ，１８ｃと平行に形成された板条の基板部４６ａ〜４８ａと、これらの基板部４６ａ〜４８ａの上面に垂直に立設された略楔形状のカム部４６ｂ〜４８ｂと、基板部４６ａ〜４８ａの下面に形成された保持突起４６ｃ〜４８ｃと、基板部４６ａ〜４８ａの一端部に薄肉部４６ｄ〜４８ｄを介して一体に形成された調整つまみ４６ｅ〜４８ｅとから構成されている。各カム部４６ｂ〜４８ｂには、該カム部４６ｂ〜４８ｂを略楔形状にする斜面４６ｆ〜４８ｆが形成されており、各保持突起４６ｃ〜４８ｃは、これらの斜面４６ｆ〜４８ｆの下方に配置されている。また、第３調整部品４８の保持突起４８ｃは、第２調整面１８ｃの長手方向の中央近傍に当接する位置に設けられている。
【００３２】
下部鏡筒３２の長手方向の断面図である図８に示すように、第１収納部５３内には、第１調整部品４６及び第２調整部品４７と第３調整部品４８の各カム部４６ｂ〜４８ｂがそれぞれ挿入される第１溝６８及び第２溝６９が形成されている。また、図８のＡ−Ａ断面を表す図９に示すように、第１溝６８内には、第１，第２調整部品４６，４７の各カム部４６ｂ，４７ｂの斜面４６ｆ，４７ｆに当接する第１，第２調整突起６８ａ，６８ｂが形成されている。なお、詳しくは図示しないが、第２溝６９内には第３調整部品４８のカム部４８ｂの斜面に当接する第３調整突起が設けられている。下部鏡筒３２の側面には、第１溝６８，第２溝６９に連設され、第１〜第３調整部品４６〜４８の各調整つまみ４６ｅ〜４８ｅが突出される切欠６８ｃ，６９ｃが形成されている。
【００３３】
第１〜第３調整部品４６〜４８は、下部鏡筒３２の外側に突出された調整つまみ４６ｅ〜４８ｅを用いて、第１溝６８及び第２溝６９をガイドとして第１収納部５３内で移動される。例えば、各調整部品４６〜４８を下部鏡筒３２内に押し込むように移動させると、各調整部品４６〜４８の斜面４６ｆ〜４８ｆと調整突起６８ａ，６８ｂとの当接により、調整部品４６〜４８は下方に移動される。調整部品４６〜４８が下方に移動されると、保持突起４６ｃ〜４８ｃに当接しているＣＣＤイメージセンサ１８も下方に移動される。このように、各調整部品４６〜４８の移動量を変えることによって、ＣＣＤイメージセンサ１８の受光面１８ａの角度が変化されるため、アオリ調整が可能となる。
【００３４】
なお、第１〜第３調整部品４６〜４８は、受光面１８ａとＯＬＰＦ４３との間を封止するパッキング５８の外側に配置されているため、第１〜第３調整部品４６〜４８によって、パッキング５８による受光面１８ａの保護に悪影響が及ぶことはない。また、図１０に示すように、各調整部品４６〜４８の調整つまみ４６ｅ〜４８ｅは、ＣＣＤイメージセンサ１８のアオリ調整後に薄肉部４６ｄ〜４８ｄから破断されて調整部品４６〜４８から分離されるため、デジタルカメラ２への連像装置５の組込時に邪魔になることはない。
【００３５】
シャッタユニット２５は、上部ユニット２３と下部ユニット２４の間に配されている。シャッタユニット２５には、アクチュエータ７３で駆動されるシャッタ装置７５が内蔵されており、そのシャッタ装置７５の絞り羽根を兼ねたシャッタ羽根が上部鏡筒２６と下部鏡筒３２の間の光路を開閉する。撮影モード下では、ＣＰＵ１５の制御の下でシャッタ装置７５は、被写体輝度に応じた絞りとなるようにシャッタ羽根によって形成される開口径を調節し、レリーズボタン７の押圧操作に応答して静止画撮影を行うと、スメアの発生を防止するために、その直後に光路を閉じてＣＣＤイメージセンサ１８への光の入射を阻止する。
【００３６】
次に、上記構成の作用について説明する。ＣＣＤイメージセンサ１８のアオリ調整は、レンズ装置５の組立完了後に行なわれる。例えば、レンズ装置５は、ズームモータ３１，ピント調整用モータ，アクチュエータ７３，ＣＣＤイメージセンサ１８等を制御する制御回路と、ＣＣＤイメージセンサ１８で撮像した画像をモニタに表示する表示回路等を備えた検査装置にセットされる。次に、予め用意された調整用の撮像パターン等をレンズ装置５で撮像して、その撮像された画像をモニタに表示し、このモニタの画像を見ながら各調整部品４６〜４８の調整つまみ４６ｅ〜４８ｅを操作して各調整部品４６〜４８を下部鏡筒３２内で移動させる。ＣＣＤイメージセンサ１８は、第１，第２調整面１８ｂ，１８ｃ上にバランスよく配置された３個の調整部品４６〜４８によって、各部が光軸方向に移動されるため、受光面１８ａの角度が任意に変化されてアオリが調整される。
【００３７】
アオリの調整後には、各調整部品４６〜４８の調整つまみ４６ｅ〜４８ｅが薄肉部４６ｄ〜４８ｄから破断されて分離される。これにより、レンズ装置５をデジタルカメラ２に組み込む際に、調整つまみ４６ｅ〜４８ｅの突出が邪魔になることはない。なお、アオリ調整後には、下部鏡筒３２の切欠６８ｃ，６９ｃから接着剤を注入して、各調整部品４６〜４８を下部鏡筒３２内で固定してもよい。
【００３８】
以上のようにして、レンズ装置５が完成する。完成したレンズ装置５は、デジタルカメラ２の製造工程に送られ、デジタルカメラ２の内部に組み付けられる。レンズ装置５は、固体撮像素子のアオリを調整する機構によって大型化されてはいないため、デジタルカメラ２の薄型化に寄与することができる。
【００３９】
また、上記実施形態では、調整つまみ４６ｅ〜４８ｅによって調整突起４６〜４８を移動させるようにしたが、図１１示すように、調整部品８０の後端８０ａを長くして下部鏡筒８１の側面から突出させ、この後端８０ａに調整用の治具８２が挿入される穴８０ｂを形成してもよい。これによれば、調整部品８０の移動を治具によって行なうことができるため、調整がより行ないやすくなり、自動化への対応も容易となる。また、治具８２との係合は小さな穴８０ｂによって行なうことができるので、調整部品８０が大型化することはない。
【００４０】
また、上記実施形態では、屈曲光学系を有するデジタルカメラ２を例に説明したが、通常の光学系を有するデジタルカメラでのＣＣＤイメージセンサの取付構造にも適用することができる。更に、デジタルカメラ以外の撮像装置のＣＣＤイメージセンサの取付構造にも適用することができる。
【図面の簡単な説明】
【００４１】
【図１】本発明を実施したデジタルカメラを正面側から見た外観形状を示す斜視図である。
【図２】デジタルカメラを背面側から見た外観形状を示す斜視図である。
【図３】デジタルカメラの電気的構成を示すブロック図である。
【図４】レンズ装置の外観形状を示す斜視図である。
【図５】レンズ装置の光路を示す断面図である。
【図６】下部鏡筒へのＣＣＤイメージセンサの取付構造を示す分解斜視図である。
【図７】第１〜第３調整部品の構成を示す外観斜視図である。
【図８】ＣＣＤイメージセンサの取付構造を示す断面図である。
【図９】第１調整部品，第２調整部品によるアオリ調整状態を示す断面図である。
【図１０】第１調整部品の調整つまみの分離状態を示す外観斜視図である。
【図１１】本発明の別の実施形態の調整部品を示す断面図である。
【符号の説明】
【００４２】
２  デジタルカメラ
５  レンズ装置
１８  ＣＣＤイメージセンサ
２４  下部ユニット
３２  下部鏡筒
４３  光学ローパスフィルタ
４６  第１調整部品
４７  第２調整部品
４８  第３調整部品
４６ａ〜４８ａ  基板部
４６ｂ〜４８ｂ  カム部
４６ｃ〜４８ｃ  保持突起
４６ｄ〜４８ｄ  薄肉部
４６ｅ〜４８ｅ  調整つまみ
４６ｆ〜４８ｆ  斜面
５３  第１収納部
５４  第２収納部
５８  パッキング
６１  保持板
６８  第１溝
６８ａ，６８ｂ  調整突起
６９  第２溝
【図１】
2006217473.tif 000003
【図２】
2006217473.tif 000004
【図３】
2006217473.tif 000005
【図４】
2006217473.tif 000006
【図５】
2006217473.tif 000007
【図６】
2006217473.tif 000008
【図７】
2006217473.tif 000009
【図８】
2006217473.tif 000010
【図９】
2006217473.tif 000011
【図１０】
2006217473.tif 000012
【図１１】
2006217473.tif 000013